(57)【特許請求の範囲】
【請求項１】
メモ用紙単葉を積層させて成るメモ用紙冊子体と、このメモ用紙冊子体を保護する適宜の剛性を有する表殻カバーとを具え、前記メモ用紙冊子体は、その一部において表殻カバー外縁側に連通するようにスペースを具え、このスペースを筆記具におけるクリップを受け入れるためのクリップ収め部とするものであり、このクリップ収め部は、前記表殻カバーの背表紙の内側に位置する部位において、メモ用紙冊子体が切り欠かれて構成されていることを特徴とする筆記具を係止自在としたメモ帳。
【請求項２】
前記メモ用紙冊子体は、これを構成するメモ用紙単葉が剥がし取り自在に簡易綴帖されていることを特徴とする請求項１記載の筆記具を係止自在としたメモ帳。
【請求項３】
前記クリップ収め部を形成することにより、見かけ上複数の矩形状メモ面の集合として認識されるメモ用紙単葉は、矩形状メモ面の境界に分断自在の分離線加工が施されていることを特徴とする請求項１または２記載の筆記具を係止自在としたメモ帳。
【発明の詳細な説明】
【技術分野】
【０００１】
本発明は、比較的簡易なメモ帳に関するものであって、特に筆記具を常備できる構造とした、筆記具を係止自在としたメモ帳に係るものである。
【背景技術】
【０００２】
日常生活や業務の中で、備忘用のメモ帳が広く用いられている。このメモ帳は、手帳ほどの入念な装丁状態ではなく、メモ用紙が単葉ごとに簡易綴帖されているものであり、メモの記録がされた後、メモ用紙単葉が必要に応じ離し取られるような用い方がされている。このようなメモ帳は身近な備忘手段として極めて利便性の高いものであるが、一方でたとえメモ帳を携行していたとしても筆記具が見当たらないときには全く用をなさず、このような状況にあっては心理的な苛立ちも手伝って不便さをより強く感じさせる。
このような状況に対処するには、手帳等に見られるようにメモ帳に常に筆記具を具えさせるようにすればよいものの、手帳ほどの確実な装丁がされていないメモ帳にあっては、このような対策は採られていないか、または着眼はあったとしても特殊仕様の筆記具を前提としている。
【先行技術文献】
【特許文献】
【０００３】
【特許文献１】特開２００９−３４９７４公報
【特許文献２】実開昭６４−５２７７１号公報
【発明の概要】
【発明が解決しようとする課題】
【０００４】
本発明は、このような背景を考慮してなされたものであって、たとえ簡易な綴帖のメモ帳であったとしても、クリップ付きのボールペン、シャープペンシル等の一般に普及している筆記具の装着同携を可能とする、筆記具を係止自在としたメモ帳の開発を試みたものである。
【課題を解決するための手段】
【０００５】
まず請求項１記載の筆記具を係止自在としたメモ帳は、メモ用紙単葉を積層させて成るメモ用紙冊子体と、このメモ用紙冊子体を保護する適宜の剛性を有する表殻カバーとを具え、前記メモ用紙冊子体は、その一部において表殻カバー外縁側に連通するようにスペースを具え、このスペースを筆記具におけるクリップを受け入れるためのクリップ収め部とするものであり、このクリップ収め部は、前記表殻カバーの背表紙の内側に位置する部位において、メモ用紙冊子体が切り欠かれて構成されていることを特徴として成るものである。
【０００６】
また請求項２記載の筆記具を係止自在としたメモ帳は、前記請求項１記載の要件に加え、前記メモ用紙冊子体は、これを構成するメモ用紙単葉が剥がし取り自在に簡易綴帖されていることを特徴として成るものである。
【０００７】
更にまた請求項３記載の筆記具を係止自在としたメモ帳は、前記請求項１または２記載の要件に加え、前記クリップ収め部を形成することにより、見かけ上複数の矩形状メモ面の集合として認識されるメモ用紙単葉は、矩形状メモ面の境界に分断自在の分離線加工が施されていることを特徴として成るものである。
【発明の効果】
【０００８】
まず請求項１記載の発明によれば、メモ用紙冊子体にはその一部が表殻カバー外縁側に連通するようにスペースが設けられ、このスペースをクリップ収め部としているから、この部位を利用して一般に市販されている仕様の筆記具のクリップを差し込み、クリップと筆記具の本体とで表殻カバーをくわえ込むようにして、常時メモ帳と筆記具とを一体にして携行することができる。加えてクリップ収め部は表殻カバーの背表紙の内側に位置する部位にメモ用紙冊子体が切り欠かれて構成されているものであり、冊子タイプのメモ帳における最も適切な部位に筆記具を組み合わせておくことができる。
【０００９】
また請求項２記載の発明によれば、メモ用紙冊子体は、これを構成するメモ用紙単葉が剥がし取り自在に簡易綴帖されており、備忘記録をした後、容易にメモ用紙単葉を剥がし取り、所定の位置に貼り付けたり、更には他所への連絡メモとして手渡すこともでき、またメモ用紙単葉ごとに携行することが容易に行い得る。
【００１０】
更にまた請求項３記載の発明によれば、メモ用紙単葉は完全な矩形状ではなく一部が切り欠かれ、結果的にその切り欠かれた部位を手がかりに、あたかも矩形状のメモ面の集合となるものであり、その矩形状メモ面の境界に分離線加工が施されているから、元々は一枚のメモ用紙単葉であっても分離線加工を利用して切り離すことができ、備忘メモの量に応じて適切な使用ができる。
【図面の簡単な説明】
【００１１】
【図１】本発明のメモ帳を示す説明図であり、（ａ）は筆記具を係合させた状態を示す斜視図、（ｂ）は使用状態を示す正面図、（ｃ）は筆記具の組み合わせ形態を示す平面図である。
【図２】同上メモ帳を分解して示す斜視図（ａ）、及び正面図（ｂ）である。
【図３】本発明の他の実施例を示す説明図であり、（ａ）は全体を示す斜視図、（ｂ）は一部平面図、（ｃ）は一部破断正面図である。
【図４】本発明の更に他の実施例を示す正面図（ａ）、同上一部拡大断面図（ｂ）である。
【図５】本発明に関連する他の形態を示す斜視図である。
【図６】本発明の更に他の実施例を示す斜視図（ａ）、並びに一部拡大斜視図（ｂ）である。
【図７】本発明の更に他の実施例を示す斜視図である。
【図８】本発明におけるクリップ収め部の２種の形態を図（１）（２）において示す説明図である。
【図９】本発明の更に他の実施例を示す斜視図である。
【発明を実施するための形態】
【００１２】
本発明を実施するための形態は、以下述べる実施例をその一つとするとともに、この技術思想に基づく種々の改良した形態をも含むものである。
【実施例】
【００１３】
以下、本発明を図示の実施例に基づいて具体的に説明する。
まず第一の実施例としては、図１、図２に示されるとおりであって、メモ帳１に対し一般に市販されている仕様の筆記具２を組み合わせるための基本的形態を示すものである。メモ帳１は、表殻カバー３と、この表殻カバー３内に綴じ込まれるメモ用紙冊子体５とから成る。まず表殻カバー３は、メモ帳を例えば携行する場合等であっても、十分なメモ用紙冊子体５の保護ができるような適宜の剛性を有する厚紙等で構成される。ここに適宜の剛性とは、このメモ用紙冊子体５の保護のほか、本発明の目的とした筆記具を保持する際に必要とする十分な強度を維持できるような剛性を言う。実際には、ＪＩＳ規格２００〜４５０ｇ／ｍ2 程度の厚紙であれば目的達成が可能である。本出願人が市場に提供することを企画中の実製品は、一例として３５０ｇ／ｍ2 としたが、前記範囲を更に外れたものも、もちろん使用できる。加えて板紙に限らず樹脂製の表殻カバー３を適用しても差し支えない。
【００１４】
表殻カバー３は、メモ帳１がいわゆる冊子状を構成することから、メモ用紙冊子体５を囲むように、おもて表紙３Ａ、うら表紙３Ｂ、背表紙３Ｃとに区画されている。もちろんメモ用紙冊子体５の積層厚さが薄い場合、背表紙３Ｃについては、具えられないこともある。更には、メモ帳１の全体的な剛性が保たれる範囲で、おもて表紙３Ａ，背表紙３Ｃを具えずに、うら表紙３Ｂのみで表殻カバー３を形成してもよい。なお表殻カバー３を平面視した場合における周縁端部の指称については、背表紙３Ｃと対向するいわゆる小口側の端縁部を自由縁３Ｅとし、これと直交する方向のいわゆる天地の端縁部を天地縁３Ｆとする。
【００１５】
一方、メモ用紙冊子体５は、メモ用紙単葉５０が適宜の枚数重ねられて一体化しているものであり、メモ用紙冊子体５の説明を正確にするため、部位または向きを以下のように定義する。すなわち図１、図２に示すようにメモ用紙冊子体５は、メモ用紙単葉５０を一辺で綴じ合わせて冊子状にしているものであり、綴じ合わせた部位を拘束端部Ｅ１とし、この拘束端部Ｅ１に対向する端縁部を自由端部Ｅ２とし、それと直交する側縁部を天地端部Ｅ３とする。また方向については、表殻カバー３、メモ用紙冊子体５の両者共に、拘束端部Ｅ１から自由端部Ｅ２に向かう方向を自由方向Ｄ１とし、これと平面で直交する方向を天地方向Ｄ２とし、メモ用紙単葉５０が重ね合わされている方向を積層方向Ｄ３とする。
【００１６】
そして本発明の特徴としてメモ用紙冊子体５は、一例として拘束端部Ｅ１側の一部を短冊状にあたかも切り取るような形状としてスペースを設け、このスペースを筆記具２におけるクリップ２１を受け入れるクリップ収め部５１とする。このクリップ収め部５１のスペースとしての形成条件は、あくまで前記表殻カバー３の外縁側に連通していることである。図１、図２に示す基本の実施例では、表殻カバー３の一方の天地縁３Ｆ側に連通している。
【００１７】
これらメモ用紙冊子体５と表殻カバー３との組み合わせ態様は、メモ用紙冊子体５の拘束端部Ｅ１が表殻カバー３の背表紙３Ｃに内側に糊付けされた状態で、両者の一体化が図られている。従ってこの実施例では、クリップ収め部５１を構成したことによりメモ用紙冊子体５の拘束端部Ｅ１側はその一部（上方）で表殻カバー３の背表紙３Ｃとは一定間隔離れるものであり、この部位は別途糊付けして拘束状態としてもよいし、拘束されない自由状態としておいてもよい。このような構成のメモ帳１は使い勝手としては概ね筆記具２を収める形態に因み、クリップ収め部５１が形成されている側を上方として、言わば縦長状態に使用することが一般的なものと予想される。もちろん使用者によってどのような使い方をしても差し支えない。
【００１８】
そしてメモ帳１に対し筆記具２を係止するには、例えばメモ帳１を閉じた状態で行う。すなわちクリップ収め部５１の開放スペースが覗かれる表殻カバー３の周縁部から、クリップ収め部５１に筆記具２のクリップ２１を差し込み、筆記具２の本体２０を表殻カバー３の外側に添わせるように係止させる。図１、図２の実施例の場合、図（ｃ）に示すようにクリップ２１が背表紙３Ｃをくわえ込むようにした場合、その外側に添うように筆記具２の本体２０が係止し、またクリップが、おもて表紙３Ａまたはうら表紙３Ｂのうら側をくわえ込むようにした場合にはそれらの外側に筆記具２の本体２０が係止する。このクリップ２１が表殻カバー３をくわえ込む部位をくわえ込み部３０として示す。
【００１９】
以上述べた基本的な実施例のほか、本発明は更に他の形態が考慮し得る。まずメモ用紙冊子体５に対して形成されるクリップ収め部５１の形態について説明する。もちろんクリップ収め部５１の形態自体は、表殻カバー３の構造と密接に関連するので、これらも併せ説明してゆく。基本的な形態はすでに述べたように、メモ用紙冊子体５の拘束端部Ｅ１側を一方の天地端部Ｅ３側から幅狭の短冊状に切り欠きクリップ収め部５を形成したものであるが、必ずしもこのように構成することに限定されない。例えば図３に示す実施例は、天地端部Ｅ３側の一方を拘束端部Ｅ１側から自由端部Ｅ２にかけて一部短冊状に切り取ったような形態を採っている。これに対応して表殻カバー３は筆記具２を組み合わせるにあたり、筆記具２のクリップ２１がこの天地端部Ｅ３に挿入できるように、表殻カバー３については背表紙３Ｃの一部を天地縁３Ｆ側から切り取るようにして、クリップ差込部３１を形成する。
【００２０】
またクリップ収め部５１は、必ずしもメモ用紙冊子体５の外縁に添うように設けられる必要はない。例えば図４、図５に示すように、拘束端部Ｅ１の中間部から自由端部Ｅ２に向けて自由方向Ｄ１に添うスリット状の切り込みとしてスペースを形成して、ここをクリップ収め部５１としてもよい。なおこの切り込み方向は図４に示すように拘束端部Ｅ１側からでもよいし、図５に本発明に関連する他の形態として示すように天地端部Ｅ３から天地方向Ｄ２に添って内側に向かって形成してもよい。またすでに述べたクリップ収め部５１の形態において、メモ用紙単葉５０を積層させた厚みが十分なときには、積層方向Ｄ３においてメモ用紙冊子体５のすべてのメモ用紙単葉５０についてクリップ収め部５１を形成しなくともよい。例えば図６に示すようにその中間に挟まれる適宜厚さとなる複数のメモ用紙単葉５０にクリップ収め部５１が形成され、その上下両面あるいは一方の面に積層されているメモ用紙単葉５０の積層体については、クリップ収め部５１を構成するための切り欠きを具えない矩形状のままの形態としてもよい。
【００２１】
更にメモ用紙冊子体５は、必ずしも同じ形状の単一のメモ用紙単葉５０が積層されたものとする必要はなく、幾つかの短冊状に分断されたメモ用紙単葉５０の組が集合したものであってもよい。この場合例えばクリップ収め部５１の形態としては図７（ａ）に示すように、それぞれのメモ用紙冊子体５の一単位または二単位を貼り付け高さを異ならせ、その段差状に形成されたスペースをクリップ収め部５１としてもよい。なおこのような短冊状のメモ用紙単葉５０はそれぞれ端縁部で簡易剥離接着自在なスティッキー処理がされているもの等が利用できる。またこのようないわゆる段違い状の配置のほか、図７（ｂ）に示すように短冊状のメモ用紙冊子体５の組をすべてを密着させずに一部に間隔を開けて表殻カバー３に取り付けるようにした場合には、その幅を開けたスペースをクリップ収め部５１として構成し得る。なおこの場合、表殻カバー３にあっては、背表紙３Ｃに差込孔状のクリップ差込部３１を構成することとなる。
【００２２】
次に表殻カバー３におけるバリエーションについて説明すると、まず図８（１）（ａ）（ｂ）に示すように基本的な実施の形態において、表殻カバー３の背表紙３Ｃあるいはおもて表紙３Ａ、うら表紙３Ｂを一部切り込み、クリップ２１が更に深く差し込まれるようにクリップ逃げ部３２を形成することができる。またこのようなクリップ逃げ部３２は、先に述べた差込孔タイプのクリップ差込部３１に連続させて図８（２）（ａ）（ｂ）（ｃ）に示すように、おもて表紙３Ａまたはうら表紙３Ｂにかかるような切り込みとしてもよい。この図８（２）に示す実施例の場合、クリップ逃げ部３２をおもて表紙３Ａに形成しているから、図８（２）（ｂ）に示すように筆記具２をおもて表紙３Ａ側に保持した際にはその上部が十分に下がり、図８（２）（ｃ）に示すように、うら表紙３Ｂ側に保持した際には幾分か筆記具上部が上方に突出するように収まる。従って筆記具２全体がなるべくメモ帳１から張り出さないように、その寸法に応じた係止のさせ方が選択できる。
【００２３】
更に図９に示す実施例は、例えばメモ用紙冊子体５に対し、クリップ収め部５１を形成することにより、見かけ上、小分割された矩形状メモ面がいくつかあるような状況となったものを示している。この実施例はこれに着眼し、この見かけ矩形状メモ面５２をそれぞれ分離線５３によって切り離し自在としたものである。この分離線５３は一般的にはいわゆるミシン目と称される連続した小孔であることが好ましい。このようにしたときには、備忘メモの量が少ない場合にはメモ面の全部を用いず一方の見かけ矩形状メモ面５２を利用してメモ帳を書き込み、またその部位だけを切り離して保存ないしは伝言・伝達用とすることができる。
【符号の説明】
【００２４】
１    メモ帳
２    筆記具
２０  本体
２１  クリップ
３    表殻カバー
３０  くわえ込み部
３１  クリップ差込部
３２  クリップ逃げ部
３Ａ  おもて表紙
３Ｂ  うら表紙
３Ｃ  背表紙
３Ｅ  自由端
５    メモ用紙冊子体
５０  メモ用紙単葉
５１  クリップ収め部
５２  見かけ矩形状メモ面
５３  分離線
Ｄ１  自由方向
Ｄ２  天地方向
Ｄ３  積層方向
Ｅ１  拘束端部
Ｅ２  自由端部
Ｅ３  天地端部
Ｆ３  天地縁
【図１】
0005508494.tif 000002
【図２】
0005508494.tif 000003
【図３】
0005508494.tif 000004
【図４】
0005508494.tif 000005
【図５】
0005508494.tif 000006
【図６】
0005508494.tif 000007
【図７】
0005508494.tif 000008
【図８】
0005508494.tif 000009
【図９】
0005508494.tif 000010